(57)【要約】【課題】洗浄面の位置がずれて平坦となったり、清掃体の一部が破損したりすることを防ぎ、使用性及び耐久性に優れた清掃体の構造を提供する。【解決手段】清掃体の構造は、等間隔に並べられた２重経糸１１が、交叉網目１１１を介し、複数の糸線が束ねられて形成された束状緯糸１２と交絡されて形成された清掃体１０を含む。束状緯糸１２は、互いに隣接した２本の２重経糸１１の交叉網目１１１間で繰り返し交互に交絡されると、交叉網目１１１が編まれて固定される。束状緯糸１２の互いに隣接した２本の２重経糸１１間には所定長さの糸が残り、同一側面に外側に向かって自然に隆起したバルク状態に形成される。束状緯糸１２の表面には、バルクアーチ部分１２１が並べられた洗浄面１０’構造が形成される。【選択図】図３
0003193664.tif 000002
【実用新案登録請求の範囲】
【請求項１】
等間隔に並べられた２重経糸が、交叉網目を介し、複数の糸線が束ねられて形成された束状緯糸と交絡されて形成された清掃体を含む清掃体の構造であって、
前記束状緯糸は、互いに隣接した２本の前記２重経糸の前記交叉網目間で繰り返し交互に交絡されると、前記交叉網目が編まれて固定され、前記束状緯糸の互いに隣接した２本の前記２重経糸間には所定長さの糸が残り、同一側面に外側に向かって自然に隆起したバルク状態に形成され、前記束状緯糸の表面には、バルクアーチ部分が並べられた洗浄面構造が形成されることを特徴とする、
清掃体の構造。
【請求項２】
等間隔に並べられた２重経糸が、交叉網目を介し、複数の糸線が束ねられて形成された束状緯糸及び太単緯糸と交絡されて形成された清掃体を含む清掃体の構造であって、
前記束状緯糸は、互いに隣接した２本の前記２重経糸の前記交叉網目間で繰り返し交互に交絡されると、前記交叉網目が編まれて固定され、前記束状緯糸の互いに隣接した２本の前記２重経糸間には所定長さの糸が残り、同一側面において外側に向かって自然に隆起したバルク状態に形成され、前記束状緯糸の表面には、バルクアーチ部分が形成され、
前記太単緯糸は、前記束状緯糸で構成された前記バルクアーチ部分のそれぞれの間に位置し、繰り返し交互に交絡されると、対応した前記交叉網目に編まれて固定され、前記太単緯糸は、互いに隣接した２本の前記２重経糸間に所定長さを残し、外側へ向かって単糸アーチ部分が同一側面に隆起され、前記バルクアーチ部分と異なる太さで間隔をおいて並べられた洗浄面構造が形成されることを特徴とする、
清掃体の構造。
【請求項３】
前記等間隔に並べられた２重経糸が、前記交叉網目を介し、複数の糸線が束ねられて形成された前記束状緯糸及び太単緯糸と交絡されて形成された清掃体を含み、前記清掃体には、第２色の束状緯糸が加えられ、異なる色の各前記バルクアーチ部分が編まれて形成され、間隔を空けて配列・配色された洗浄面構造が形成されることを特徴とする請求項１に記載の清掃体の構造。
【請求項４】
前記清掃体は、編まれた洗浄面の外方を覆って軟質体の外表面と結合され、外側を向いた洗浄面を構成し、洗浄しながらブラッシングが可能な球状清掃体を有することを特徴とする請求項１乃至３のいずれか一項に記載の清掃体の構造。
【請求項５】
前記球状清掃体には、耳部が結合されていることを特徴とする請求項４に記載の清掃体の構造。
【請求項６】
前記束状緯糸の複数の糸線は軟質性ポリエステル繊維糸であることを特徴とする請求項１乃至３のいずれか一項に記載の清掃体の構造。
【請求項７】
前記太単緯糸は硬いナイロン糸であることを特徴とする請求項２に記載の清掃体の構造。
【考案の詳細な説明】
【技術分野】
【０００１】
本考案は、清掃体の構造に関し、特に、等間隔に並べられた２重経糸が、交叉網目を介し、複数の糸線が束ねられて形成された束状緯糸（ｂｕｎｃｈｅｄ  ｗｅｆｔ）と交絡されて形成された清掃体を得て、束状緯糸に所定長さで構成されたバルクアーチ部分の両端を編んで固定し、洗浄面の位置がずれて平坦となったり、清掃体の一部が破損したりすることを防ぎ、使用性及び耐久性に優れた清掃体の構造に関する。
【背景技術】
【０００２】
特許文献１で開示されている「バスタオル構造改良」のバスタオル２０の構造は、特許文献１の図２に示すように、経糸２１と、上糸２２及び底糸２３とを編んで網状に形成し、各上糸２２は、複数のナイロン材料の糸線２２１により長尺状に形成されている。上糸２２は、２つの経糸２１間に予め適切な長さを残し、同一の側面に向かって自然に隆起させ、複数の立体アーチ部２２２が形成され、バスタオル２０の上側面には、弾性マッサージ面２０１が形成されている。底糸２３は、テトロン（Ｔｅｔｏｒｏｎ）（登録商標）材料からなり、１本の直線状に形成され、上糸２２とともに各経糸２１と交絡され、バスタオル２０の底面には、網格子平面２０２が形成されている。
【０００３】
しかし、特許文献１の図２に示すように、各経糸２１が直線状に維持され、単純に上糸２２の糸線２２１が繰り返し交絡される。つまり、経糸２１がフック織の網目により糸線２２１が編まれて固定されているわけではなく、簡素に編まれた網体に形成されている。即ち、上糸２２が互いに隣接した経糸２１間に適切な長さを残し、同一側面に向かって自然に隆起し、複数の立体アーチ部２２２が形成されているが、立体アーチ部２２２の両端は固定する力が十分でないため、立体アーチ部２２２がずれて平らになって無くなることがあり、所謂、弾性マッサージ面２０１の構造機能が無駄となり、所望のマッサージ機能及び清掃・汚れ除去を行うことができないことが欠点の一つであった。
【０００４】
また、その経糸２１は、フック織の網目により糸線２２１に編んで固定されているため、一部の経糸２１が断裂すると、糸線２２１全体を構成する立体アーチ部２２２が支持を失い、破損が広がって最終的に使用することができなくなり、使用耐久性が低下することがもう一つの欠点であった。
【先行技術文献】
【特許文献】
【０００５】
【特許文献１】台湾実用新案登録第２５７７７７号公報
【考案の概要】
【考案が解決しようとする課題】
【０００６】
そのため、特許文献１の網体又は網層構造により形成されたシャワーで用いる清掃体構造は、所望のマッサージ効果及び清掃・汚れ除去効果を得ることができず、破損した箇所が広がり、最悪の場合、使用することができなくなり、使用性及び耐久性が低下するなどの問題が生じる虞があった。
【０００７】
そのため、本考案の目的は、等間隔に並べられた２重経糸が、交叉網目を介し、複数の糸線が束ねられて形成された束状緯糸と交絡されると、束状緯糸の所定長さの箇所に同一側面に向かって自然に隆起し、バルクアーチ部分の両端を編んで固定し、位置がずれて平坦となることを防ぐ洗浄面構造を形成する清掃体の構造を提供することにある。
本考案のもう一つの目的は、清掃体が破損し、その破損個所が広がって使用不能となることを防ぐことができる耐久性が高い清掃体の構造を提供することにある。
【課題を解決するための手段】
【０００８】
上記課題を解決するために、本考案の第１の形態によれば、等間隔に並べられた２重経糸が、交叉網目を介し、複数の糸線が束ねられて形成された束状緯糸と交絡されて形成された清掃体を含む清掃体の構造であって、前記束状緯糸は、互いに隣接した２本の前記２重経糸の前記交叉網目間で繰り返し交互に交絡されると、前記交叉網目が編まれて固定され、前記束状緯糸の互いに隣接した２本の前記２重経糸間には所定長さの糸が残り、同一側面に外側に向かって自然に隆起したバルク状態に形成され、前記束状緯糸の表面には、バルクアーチ部分が並べられた洗浄面構造が形成されることを特徴とする清掃体の構造が提供される。
【０００９】
上記課題を解決するために、本考案の第２の形態によれば、等間隔に並べられた２重経糸が、交叉網目を介し、複数の糸線が束ねられて形成された束状緯糸及び太単緯糸と交絡されて形成された清掃体を含む清掃体の構造であって、前記束状緯糸は、互いに隣接した２本の前記２重経糸の前記交叉網目間で繰り返し交互に交絡されると、前記交叉網目が編まれて固定され、前記束状緯糸の互いに隣接した２本の前記２重経糸間には所定長さの糸が残り、同一側面において外側に向かって自然に隆起したバルク状態に形成され、前記束状緯糸の表面には、バルクアーチ部分が形成され、前記太単緯糸は、前記束状緯糸で構成された前記バルクアーチ部分のそれぞれの間に位置し、繰り返し交互に交絡されると、対応した前記交叉網目に編まれて固定され、前記太単緯糸は、互いに隣接した２本の前記２重経糸間に所定長さを残し、外側へ向かって単糸アーチ部分が同一側面に隆起され、前記バルクアーチ部分と異なる太さで間隔をおいて並べられた洗浄面構造が形成されることを特徴とする清掃体の構造が提供される。
【００１０】
前記等間隔に並べられた２重経糸が、前記交叉網目を介し、複数の糸線が束ねられて形成された前記束状緯糸及び太単緯糸と交絡されて形成された清掃体を含み、前記清掃体には、第２色の束状緯糸が加えられ、異なる色の各前記バルクアーチ部分が編まれて形成され、間隔を空けて配列・配色された洗浄面構造が形成されることが好ましい。
【００１１】
前記清掃体は、編まれた洗浄面の外方を覆って軟質体の外表面と結合され、外側を向いた洗浄面を構成し、洗浄しながらブラッシングが可能な球状清掃体構造を有することが好ましい。
【００１２】
前記球状清掃体構造には、耳部が結合されていることが好ましい。
【００１３】
前記束状緯糸の複数の糸線は軟質性ポリエステル繊維糸であることが好ましい。
【００１４】
前記太単緯糸は硬いナイロン糸であることが好ましい。
【考案の効果】
【００１５】
本考案の清掃体の構造は、洗浄面の位置がずれて平坦となったり、清掃体の一部が破損したりすることを防ぎ、使用性及び耐久性に優れている。
【図面の簡単な説明】
【００１６】
【図１】本考案の第１実施形態に係る清掃体の構造を示す斜視図とその部分拡大図である。
【図２】本考案の第１実施形態に係る清掃体の構造の球状清掃体を示す斜視図である。
【図３】本考案の第２実施形態に係る清掃体の構造を示す斜視図とその部分拡大図である。
【図４】本考案の第３実施形態に係る清掃体の構造を示す斜視図とその部分拡大図である。
【考案を実施するための形態】
【００１７】
以下、本考案の実施形態について図に基づいて説明する。なお、これによって本考案が限定されるものではない。
【００１８】
（第１実施形態）
図１を参照する。図１は、本考案の第１実施形態に係る清掃体の構造を示す斜視図と、本考案の第１実施形態に係る清掃体の構造を示す部分拡大図である。図１に示すように、本考案の第１実施形態に係る清掃体は、等間隔に並べられた２重経糸（ｄｏｕｂｌｅ  ｗａｒｐ）１１が、交叉網目を介し、複数の糸線が束ねられて形成された束状緯糸（ｂｕｎｃｈｅｄ  ｗｅｆｔ）１２と交絡されて形成された清掃体１０を含む。
【００１９】
束状緯糸１２は、複数の糸線が集まって構成された軟質性ポリエステル繊維糸である。図１に示すように、互いに隣接した２本の２重経糸１１の交叉網目１１１間で束状緯糸１２が繰り返し交互に交絡されると、交叉網目１１１が編まれて固定される。束状緯糸１２の互いに隣接した２本の２重経糸１１間には所定長さの糸が残り、同一側面に外側に向かって自然に隆起したバルク状態に形成され、束状緯糸１２の表面には、バルクアーチ部分１２１が並べられた洗浄面１０’構造が形成される。
【００２０】
図１に示すように、２重経糸１１の交叉網目１１１が束状緯糸１２のバルクアーチ部分１２１の両端に編まれて固定されるため、位置がずれて平らに変形して消失することを防ぐ洗浄面１０’構造を効果的に形成することができる。これにより清掃体１０の一部が破損し、その破損個所が拡大して使用できなくなることを効果的に防ぎ、使用性及び耐久性を高めることができる。
【００２１】
図２を参照する。図２は、本考案の第１実施形態に係る清掃体の構造の球状清掃体を示す斜視図である。図２に示すように、本考案の第１実施形態に係る清掃体の構造の清掃体１０は、洗浄面１０’の外方を覆って軟質体２０の外表面と結合され、外側を向く洗浄面１０’を構成し、洗浄する際にブラッシングする球状清掃体構造を構成し、一端に耳部３０が結合され、球状の清掃体構造は、外側を向く洗浄面１０’により、タワシ又は入浴玉の効果に似たブラッシング効果を得ることができる。
【００２２】
（第２実施形態）
図３を参照する。図３は、本考案の第２実施形態に係る清掃体の構造を示す斜視図と、本考案の第２実施形態に係る清掃体の構造を示す部分拡大図である。図３に示すように、本考案の第２実施形態に係る清掃体の構造の清掃体は、等間隔に並べられた２重経糸１１が、交叉網目１１１を介し、複数の糸線が束ねられて形成された束状緯糸１２及び太単緯糸１３と交絡されて形成された清掃体１０である。
束状緯糸１２は、互いに隣接した２本の２重経糸１１の交叉網目１１１間で繰り返し交互に交絡されると、交叉網目１１１が編まれて固定され、束状緯糸１２の互いに隣接した２本の２重経糸１１間には所定長さの糸が残り、同一側面において外側に向かって自然に隆起したバルク状態に形成され、束状緯糸１２の表面には、バルクアーチ部分１２１が形成されている。
太単緯糸１３は、束状緯糸１２で構成されたバルクアーチ部分１２１のそれぞれの間に位置し、繰り返し交互に交絡されると、対応した交叉網目１１１に編まれて固定される。太単緯糸１３は、互いに隣接した２本の２重経糸１１間に所定長さを残し、外側へ向かって単糸アーチ部分１３１が同一側面に隆起され、バルクアーチ部分１２１と異なる太さで間隔をおいて並べられた洗浄面１０’構造が形成される。
【００２３】
（第３実施形態）
図４を参照する。図４は、本考案の第３実施形態に係る清掃体の構造を示す斜視図と、本考案の第３実施形態に係る清掃体の構造を示す部分拡大図である。図４に示すように、本考案の第３実施形態に係る清掃体の構造の清掃体は、等間隔に並べられた２重経糸１１が、交叉網目１１１を介し、複数の糸線が束ねられて形成された束状緯糸１２及び太単緯糸１３と交絡されて形成された清掃体１０である。
さらに第２色の束状緯糸１２’は、異なる色の各バルクアーチ部分１２１，１２１’が編まれて形成され、間隔を空けて配列・配色された洗浄面１０’構造が形成される。
【００２４】
図３の第２実施形態と、図４の第３実施形態との清掃体１０は、編まれた洗浄面１０’の外方を覆って軟質体２０の外表面と結合され、外側を向いた洗浄面１０’を構成し、洗浄しながらブラッシングが可能な球状清掃体構造（図示せず）を有する。
【００２５】
上述したことから分かるように、本考案の清掃体の構造は、等間隔に並べられた２重経糸が、交叉網目を介し、複数の糸線が束ねられて形成された束状緯糸と交絡されて形成された清掃体を含み、束状緯糸に所定長さで構成されたバルクアーチ部分の両端を編んで固定し、位置がずれて平坦となる洗浄面構造を構成し、清掃体の一部が破損してその破損個所が拡大することを防ぎ、使用性及び耐久性に優れた清掃体の構造を得ることができる。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１０    清掃体
１０’  洗浄面
１１    ２重経糸
１２    束状緯糸
１２’  第２色の束状緯糸
１３    太単緯糸
２０    軟質体
３０    耳部
１１１  交叉網目
１１２  重経糸
１２１  バルクアーチ部分
１２１’バルクアーチ部分
１３１  単糸アーチ部分
【図１】
0003193664.tif 000003
【図２】
0003193664.tif 000004
【図３】
0003193664.tif 000005
【図４】
0003193664.tif 000006
【手続補正書】
【提出日】平成26年8月11日(2014.8.11)
【手続補正１】
【補正対象書類名】実用新案登録請求の範囲
【補正対象項目名】全文
【補正方法】変更
【補正の内容】
【実用新案登録請求の範囲】
【請求項１】
等間隔に並べられた２重経糸が、交叉網目を介し、複数の糸線が束ねられて形成された束状緯糸と交絡されて形成された清掃体を含む清掃体の構造であって、
前記束状緯糸は、互いに隣接した２本の前記２重経糸の前記交叉網目間で繰り返し交互に交絡されると、前記交叉網目が編まれて固定され、前記束状緯糸の互いに隣接した２本の前記２重経糸間には所定長さの糸が残り、同一側面に外側に向かって自然に隆起したバルク状態に形成され、前記束状緯糸の表面には、バルクアーチ部分が並べられた洗浄面構造が形成されることを特徴とする、
清掃体の構造。
【請求項２】
等間隔に並べられた２重経糸が、交叉網目を介し、複数の糸線が束ねられて形成された束状緯糸及び太単緯糸と交絡されて形成された清掃体を含む清掃体の構造であって、
前記束状緯糸は、互いに隣接した２本の前記２重経糸の前記交叉網目間で繰り返し交互に交絡されると、前記交叉網目が編まれて固定され、前記束状緯糸の互いに隣接した２本の前記２重経糸間には所定長さの糸が残り、同一側面において外側に向かって自然に隆起したバルク状態に形成され、前記束状緯糸の表面には、バルクアーチ部分が形成され、
前記太単緯糸は、前記束状緯糸で構成された前記バルクアーチ部分のそれぞれの間に位置し、繰り返し交互に交絡されると、対応した前記交叉網目に編まれて固定され、前記太単緯糸は、互いに隣接した２本の前記２重経糸間に所定長さを残し、外側へ向かって単糸アーチ部分が同一側面に隆起され、前記バルクアーチ部分と異なる太さで間隔をおいて並べられた洗浄面構造が形成されることを特徴とする、
清掃体の構造。
【請求項３】
前記等間隔に並べられた２重経糸が、前記交叉網目を介し、複数の糸線が束ねられて形成された前記束状緯糸と交絡されて形成された清掃体を含み、前記清掃体には、第２色の束状緯糸が加えられ、異なる色の各前記バルクアーチ部分が編まれて形成され、間隔を空けて配列・配色された洗浄面構造が形成されることを特徴とする請求項１に記載の清掃体の構造。
【請求項４】
前記清掃体は、編まれた洗浄面の外方を覆って軟質体の外表面と結合され、外側を向いた洗浄面を構成し、洗浄しながらブラッシングが可能な球状清掃体を有することを特徴とする請求項１乃至３のいずれか一項に記載の清掃体の構造。
【請求項５】
前記球状清掃体には、耳部が結合されていることを特徴とする請求項４に記載の清掃体の構造。
【請求項６】
前記束状緯糸の複数の糸線は軟質性ポリエステル繊維糸であることを特徴とする請求項１乃至３のいずれか一項に記載の清掃体の構造。
【請求項７】
前記太単緯糸は硬いナイロン糸であることを特徴とする請求項２に記載の清掃体の構造。